(57)【要約】  バリカンやヘアカッタは、内刃および外刃間の隙間を調整する調整摺動体を具備する。ヨークは、内刃に取り付けられる。調整摺動体は、事前設定隙間長さを備えて構成でき、ヘアカット作業の前、後、または間に調整可能にできる。Ｔ案内は、外刃に対して内刃を摺動可能に動かすために、調整摺動体を内刃に結合する。ヨーク、内刃、外刃および／またはＴ案内は、内刃および外刃間に引き付けまたは反発する力を作成するために、磁化できる。幾つかの実施形態では、ヨークは、金属ではない。磁化されたヨークは、非導電性磁石担持体（例えば、プラスチック）または導電性材料（例えば、強磁性体）であり得る。【選択図】図６
2021533871.tif 000002
【特許請求の範囲】
【請求項１】
磁気刃組立体であって、
複数の歯を有する第１の刃縁を含む第１の刃と、
複数の歯を有する第２の刃縁を含む第２の刃であって、前記第２の刃縁が前記第１の刃縁に平行であり、前記刃が互いに対して振動する、第２の刃と、
前記第１の刃および前記第２の刃間に捕捉された刃案内組立体であって、前記第２の刃縁に対する前記第１の刃縁の相対位置を維持する刃案内組立体と、を含み、
前記刃案内組立体は、
基部およびクロス部分を含む案内部材であって、前記クロス部分が前記第１の刃および前記第２の刃間に捕捉され、前記クロス部分が前記第１の刃に隣接する第１の側と前記第２の刃に隣接する第２の側とを有する、案内部材と、
前記第１の刃および前記第２の刃間の前記案内部材の前記クロス部分に沿って延びる複数の磁石を含む磁気組立体と、を含み、
前記磁気組立体は、前記刃案内組立体と前記第１の刃との間に引き付け力を生成する、磁気刃組立体。
【請求項２】
前記案内部材の前記クロス部分は、強磁性材料である、請求項１に記載の磁気刃組立体。
【請求項３】
前記磁気組立体は、前記案内部材の前記クロス部分に結合された複数のディスク磁石を含む、請求項１に記載の磁気刃組立体。
【請求項４】
前記案内部材の前記クロス部分は、前記刃案内組立体と前記第１の刃および前記第２の刃との間に前記引き付け力を生成し、前記引き付け力を維持して、振動中に前記第１の刃および前記第２の刃を配向および支持する、請求項１に記載の磁気刃組立体。
【請求項５】
前記磁気組立体は、前記第１の刃に結合されたヨーク、前記第１の刃、または、前記第２の刃のうちの少なくとも１つに位置する、請求項１に記載の磁気刃組立体。
【請求項６】
前記案内部材の前記基部に結合し、前記第１の刃または前記第２の刃の一方を、前記第１の刃または前記第２の刃の他方の上で、前記クロス部分を横切る前記案内部材の面上を並進させる調整可能な隙間組立体を更に含み、
前記調整可能な隙間組立体は、前記第１の刃縁と前記第２の刃縁の間に隙間を形成するために、前記第１の刃縁を前記第２の刃縁に対して動かし、
前記調整可能な隙間組立体は、２つの所定の隙間長さ間で調整する、請求項１に記載の磁気刃組立体。
【請求項７】
前記調整可能な隙間組立体は、手動で動力供給される、請求項６に記載の磁気刃組立体。
【請求項８】
前記調整可能な隙間組立体は、電気モータによって、電気的に動力供給される、請求項６に記載の磁気刃組立体。
【請求項９】
前記磁気組立体は、前記案内部材の前記クロス部分に結合された巻線を含む電磁石を含む、請求項１に記載の磁気刃組立体。
【請求項１０】
前記第１の刃および前記第２の刃を振動させるために使用されるモータへの負荷を検出する負荷センサを更に含み、
前記モータへの負荷の変化は、前記刃間の摩擦負荷に比例し、
前記負荷センサが前記モータへの負荷を検出すると、前記負荷センサは、前記電磁石に信号を送信して、前記磁気組立体の電流を増加させ、前記案内部材と前記第１の刃および前記第２の刃との間の前記引き付け力を増加させ、前記第１および第２の刃間の前記摩擦負荷を軽減させ、前記モータへの前記負荷を軽減させる、請求項９に記載の磁気刃組立体。
【請求項１１】
磁気刃組立体であって、
複数の歯を有する外刃縁を含む外刃と、
複数の歯を有する内刃縁を含む内刃であって、前記内刃縁が前記外刃縁に平行であり前記外刃の上で振動する、内刃と、
前記内刃および前記外刃間に捕捉された刃案内組立体であって、前記刃案内組立体が、前記内刃が前記外刃の上で振動するときに、前記外刃縁に対する前記内刃縁の相対位置を維持する、刃案内組立体と、を含み、
前記組立体は、
基部およびクロス部分を含むＴ形状案内部材であって、前記クロス部分が前記内刃および前記外刃間に捕捉され、前記クロス部分が前記内刃に隣接する内セクションと前記外刃に隣接する外部分とを有する、Ｔ形状案内部材と、
前記案内部材と前記内刃との間の前記クロス部分の前記内セクションに配設された複数の磁石を含む磁気組立体と、を含み、
前記磁気組立体は、前記刃案内組立体と前記内刃との間に磁気引き付け力を生成する、磁気刃組立体。
【請求項１２】
前記Ｔ形状案内部材の前記クロス部分の前記内セクションは、前記内刃に結合し、前記内刃を前記外刃の上で並進させ、
前記内刃の並進は、前記内刃縁および前記外刃縁間の隙間長さを制御する、請求項１１に記載の磁気刃組立体。
【請求項１３】
前記案内部材の前記基部に結合し、前記内刃を前記外刃の上で、前記基部に実質上平行で前記Ｔ形状案内部材の前記クロス部分を横切る方向に、並進させる調整可能な隙間組立体を更に含み、
前記調整可能な隙間組立体は、前記内刃縁および前記外刃縁間に隙間を形成するために、前記内刃縁を前記外刃縁に対して動かし、
前記調整可能な隙間組立体は、前記内刃縁および前記外刃縁間の２つ以上の所定の隙間長さ間で調整する、請求項１１に記載の磁気刃組立体。
【請求項１４】
前記内刃を振動させるために使用されるモータの速度を検出するセンサを更に含み、
前記速度の変化は、前記刃間の摩擦負荷に比例し、
前記モータの前記速度が増加されるとき、前記内刃および前記外刃間の磁気引き付け力は、前記モータの負荷を軽減するために、前記内刃および前記外刃間の前記摩擦負荷を軽減させるように、増加される、請求項１１に記載の磁気刃組立体。
【請求項１５】
前記磁気組立体は、前記内刃に結合されたヨーク、前記内刃、または、前記外刃のうちの少なくとも１つに位置する、請求項１１に記載の磁気刃組立体。
【請求項１６】
刃組立体であって、
複数の歯を備えた内刃縁を含む内刃と、
前記内刃縁に平行である複数の歯を備えた外刃縁を含む外刃であって、前記内刃が前記外刃の上で振動する、外刃と、
前記内刃および前記外刃間に捕捉された刃案内組立体と、を含み、
前記刃案内組立体は、
基部およびクロス部分を含む案内部材であって、前記クロス部分が前記内刃および前記外刃間に捕捉される、案内部材と、
前記内刃および前記外刃間の前記案内部材の前記クロス部分に沿って延びる前記案内部材の調整可能な隙間組立体であって、前記調整可能な隙間組立体が前記刃案内組立体と前記内刃との間に力を生成して前記外刃縁に対する前記内刃縁の相対位置を維持する、調整可能な隙間組立体と、
前記案内部材の前記基部および前記調整可能な隙間組立体に結合された対角スロット機構と、を含み、
前記内刃縁および前記外刃縁に平行な方向への前記対角スロット機構の運動は、前記案内部材の前記クロス部分を前記内刃縁および前記外刃縁に垂直に動かし、
前記内刃縁および前記外刃縁間の隙間は、前記内刃縁および前記外刃縁に平行な方向への前記対角スロット機構の運動に基づいて増加または減少する、刃組立体。
【請求項１７】
前記案内部材は、Ｔ形状であり、前記案内部材の前記クロス部分は、強磁性材料である、請求項１６に記載の刃組立体。
【請求項１８】
前記内刃および前記外刃間に調整可能な磁気引張り力を生成する１つまたは複数の磁石を含む磁気組立体を更に含み、
前記磁気組立体は、前記内刃に結合されたヨーク、前記内刃、前記外刃、または、前記案内部材のうちの少なくとも１つに位置する、請求項１６に記載の刃組立体。
【請求項１９】
前記調整可能な隙間組立体の基部に結合された摺動体を更に含み、
前記摺動体は、前記案内部材の前記基部と前記調整可能な隙間組立体との間に対角接合部を作成する、請求項１６に記載の刃組立体。
【請求項２０】
前記摺動体は、前記内刃を前記外刃に対して動かし、
前記内刃は、前記外刃に対して少なくとも３つの構成を有し、
前記３つの構成は、微細隙間と、前記微細隙間よりも大きい中間隙間と、前記微細隙間または前記中間隙間のいずれかよりも大きい長隙間と、を表し、
前記３つの構成は、前記外刃縁に対する前記内刃縁間の前記隙間を表す、請求項１９に記載の刃組立体。
【請求項２１】
前記摺動体は、前記外刃縁に対する前記内刃縁間の前記隙間に対応する摺動体位置の視覚的および触覚的表示を含む、請求項１９に記載の刃組立体。
【請求項２２】
複数のリッジを備えたばね保持器を更に含み、
前記リッジは、前記摺動体のフランジを解除可能に保持し、
前記フランジは、前記内刃縁および前記外刃縁間の事前設定長さで、前記隙間を解除可能に保持するために、前記リッジの内部に適合する、請求項１９に記載の刃組立体。
【発明の詳細な説明】
【技術分野】
【０００１】
（関連特許出願の相互参照）
[0001]本出願は、２０１９年４月８日に提出された第６２／８３０，８２９号および２０１８年８月１７日に提出された第６２／７１９，２８１号の利益および優先権を主張し、それらの全体が参照によって本明細書に組み込まれる。
[0002]本発明は、一般にバリカンやヘアカット装置の分野に関する。
【背景技術】
【０００２】
本発明は、詳細には刃組立体の往復刃と静止刃の間の刃隙間を調整するように構成された調整可能な張力組立体に関する。本発明は、刃組立体の往復刃と静止刃の間に張力を提供するように構成された磁気張力組立体にも関する。
【発明の概要】
【課題を解決するための手段】
【０００３】
[0003]本発明の１つの実施形態は、磁気刃組立体に関する。磁気刃組立体は、第１の刃、第２の刃、および刃案内組立体を含む。第１の刃は、複数の歯を有する第１の刃縁を有する。第２の刃は、複数の歯を有する第２の刃縁を有する。第２の刃縁は、第１の刃縁に平行であり、刃は互いに対して振動する。刃案内組立体は、第１および第２の刃間に捕捉され、第２の刃縁に対する第１の刃縁の相対位置を維持する。刃案内は、案内部材および磁気組立体を含む。案内部材は、基部およびクロス部分（ｃｒｏｓｓ−ｐｏｒｔｉｏｎ）を有し、クロス部分は、第１および第２の刃間に捕捉され、第１の刃に隣接する第１の側と第２の刃に隣接する第２の側とを有する。磁気組立体は、刃案内組立体と第１の刃との間に引き付け力を生成するために、第１および第２の刃間の案内部材のクロス部分に沿って延びる複数の磁石を含む。
【０００４】
[0004]本発明の別の実施形態は、磁気刃組立体に関する。磁気刃組立体は、外刃、内刃、および刃案内組立体を含む。外刃は、複数の歯を備えた外刃縁を有する。内刃は、複数の歯を備えた内刃縁を有する。内刃縁は、外刃縁に平行であり、内刃は、外刃の上で振動する。刃案内組立体は、内刃および外刃間に捕捉されており、内刃が外刃の上で振動するときに、外刃縁に対する内刃縁の相対位置を維持する。刃案内組立体は、Ｔ形状案内部材および磁気組立体を含む。Ｔ形状案内組立体は、基部およびクロス部分を有する。クロス部分は、内刃および外刃間に捕捉され、内刃に隣接する内セクションと外刃に隣接する外部分とを有する。磁気組立体は、案内部材と内刃との間のクロス部分の内セクションに配設された複数の磁石を含み、刃案内組立体と内刃との間に磁気引き付け力を生成する。
【０００５】
[0005]本発明の別の実施形態は、内刃、外刃、および刃案内組立体を含む刃組立体に関する。内刃は、複数の歯を備えた内刃縁を有する。外刃は、内刃縁に平行である複数の歯を備えた外刃縁を有する。内刃は、外刃の上で振動する。刃案内組立体は、内刃および外刃間に捕捉される。刃案内組立体は、案内部材、調整可能な隙間組立体、および対角スロット機構を有する。案内部材は、基部と、内刃および外刃間に捕捉されたクロス部分と、を有する。調整可能な隙間組立体は、案内部材内にあり、内刃および外刃間の案内部材のクロス部分に沿って延びる。調整可能な隙間組立体は、刃案内組立体と内刃との間に力を生成して、外刃縁に対する内刃縁の相対位置を維持する。対角スロット機構は、案内部材の基部および調整可能な隙間組立体に結合される。内刃縁および外刃縁に平行な方向への対角スロット機構の運動は、案内部材のクロス部分を内刃縁および外刃縁に垂直に動かし、したがって、内刃縁および外刃縁間の隙間は、内刃縁および外刃縁に平行な方向への対角スロット機構の運動に基づいて増加または減少する。
【０００６】
[0006]代替の例示的な実施形態は、特許請求の範囲に広く記載され得るような他の特徴および特徴の組合せに関する。
【０００７】
[0007]この出願は、同様の参照番号が同様の要素を指す添付の図面に関連して解釈される、以下の詳細な説明からより完全に理解されるようになるであろう。
【図面の簡単な説明】
【０００８】
【図１】[0008]例示的な実施形態に係るヘアカットデバイスの斜視図である。
【図２】[0009]例示的な実施形態に係る組み立てられた刃組立体の上部斜視図である。
【図３】[0010]図２の刃組立体の分解図である。
【図４】[0011]図３に示された上面図とは反対の位置の図２のばね保持器の底部斜視図である。
【図５】[0012]例示的な実施形態に係る、スイッチ、Ｔ刃、ならびに内刃および外刃を示すために幾つかの構成要素が除去された刃組立体の図である。
【図６】[0013]例示的な実施形態に係る、ばね保持器のリッジが断面で示された図５の刃組立体の上面図である。
【図７】[0014]例示的な実施形態に係る、内刃および外刃が整列されている第１の整列位置の、図５の刃組立体の上面図である。
【図８】[0015]例示的な実施形態に係る、内刃が外刃に沿って部分的に延び部分的に引っ込む中間位置の、図５の刃組立体の上面図である。
【図９】[0016]例示的な実施形態に係る、内刃が外刃に対して完全に引っ込む引っ込み位置の、図５の刃組立体の上面図である。
【図１０】[0017]磁気張力を有する刃組立体の１つの実施形態の平面図である。
【図１１】[0018]図１０の刃組立体の第１の側面図である。
【図１２】[0019]図１１に示された側面とは反対の位置の、図１０の刃組立体の第２の側面図である。
【図１３】[0020]図１０の刃組立体の後部および第１の側面の斜視図である。
【図１４】[0021]磁気張力を有する刃組立体の１つの実施形態の平面図である。
【図１５】[0022]磁気張力組立体の一部を例証している、図１４の刃組立体の第１の側面図である。
【図１６】[0023]図１５に示された側面とは反対の位置の、図１４の刃組立体の第２の側面図である。
【図１７】[0024]図１４の刃組立体の正面図である。
【図１８】[0025]ヘアカットデバイスの実施形態に実装された磁気張力を有する刃組立体の別の実施形態の第１の側面図である。
【図１９】[0026]図１８に示された側面とは反対の位置の、図１８の刃組立体の第２の側面図である。
【図２０】[0027]磁気張力組立体を更に例証している、図１８の刃組立体の第１の側面図である。
【図２１】[0028]磁気張力組立体を更に例証している、図２０に示された側面とは反対の位置の、図１８の刃組立体の第２の側面図である。
【図２２】[0029]ヘアカットデバイスの実施形態に実装された磁気張力を有する刃組立体の別の実施形態の第１の側面図である。
【図２３】[0030]図２２に示された側面とは反対の位置の、図２２の刃組立体の第２の側面図である。
【図２４】[0031]磁気張力を有する刃組立体の別の実施形態の平面図である。
【図２５】[0032]図２４の刃組立体の第１の側面図である。
【図２６】[0033]図２５に示された側面とは反対の位置の、図２４の刃組立体の第２の側面図である。
【図２７】[0034]磁気張力、より具体的は、電磁張力を有する刃組立体の別の実施形態の平面図である。
【図２８】[0035]図２７の刃組立体の第１の側面図である。
【図２９】[0036]図２７の刃組立体の第１の正面側面図である。
【図３０】[0037]図２７の刃組立体の分解図である。
【図３１】[0038]磁気張力、より具体的には、電磁張力の代替の実施形態を有する刃組立体の第７の実施形態の平面図である。
【図３２】[0039]電磁石に結合された図３１の刃組立体の外刃の斜視図である。
【発明を実施するための形態】
【０００９】
[0040]図を全般的に参照すると、ヘアカッタやバリカンの様々な実施形態が示されている。カッタは、ヘアをカットまたはトリミングするために、下側または外側の刃の上で振動する上側または内側の刃を備えた刃組立体を含む。外刃の縁に対する内刃の縁の整列または隙間は、カットヘア長さに影響を及ぼす。例えば、外刃が刃の長さに沿って減少する表面を有する場合、外刃に対して内刃を動かすことは、カットされるヘアの長さを変化させるであろう。内刃の歯の切端と外刃の歯の切端との間に作成される隙間を調整する目的で、調整摺動体または選択機機構は、内刃に結合し、内刃の切端を外刃に対して動かす。この運動は、刃を引き出すかまたは引っ込めて、それは内刃および外刃の切端間の隙間を拡大または縮小する。隙間のサイズを制御することは、操作者が、バリカンがヘアをカットするであろう所望のカット長さを調整するのを可能にする。
【００１０】
[0041]刃間の適切な張力は、システムの摩擦、刃の摩耗および断裂を軽減して、モータの稼動寿命を高める。内刃および外刃は、内歯および外歯の振動が刃の切端と干渉しないように、共に張力を掛けられる／引っ張られるべきである。内刃にアームを含めることによって形成されるＴ案内などの案内部材は、内刃および外刃が振動するのを可能にし、その間、（例えば、ばねまたは他の付勢機構を用いて）所望の引張り力を保持する。
【００１１】
[0042]出願人が発見したことは、内刃と外刃の間に張力を生成するために磁気力を使用することが、刃間の摩擦を軽減し、それがモータへの負荷を軽減してシステムの効率全体を改善するということである。例えば、上刃および下刃（例えば、内刃および外刃）間に位置する案内部材は、磁化されるか、磁石を含むか、または、刃間に引き付け力を作成して内刃の振動の摩擦を軽減する電磁システムを含む。幾つかの実施形態では、システムは、モータまたは刃の負荷または速度を検出し、負荷を最小化するための電磁引き付け力を増加または減少させる。
【００１２】
[0043]Ｔ案内を、対角スロット機構を有する案内レールもしくはクロス部分およびアームもしくは本体と、組み合わせることは、操作者が、所望の長さでヘアをカットするために、内刃および外刃の切縁間の隙間を選択するのを可能にする。この構成は、操作者が、操作前、操作中または操作後に刃のセットを選択的に調整するのを可能にする。操作者は、刃のセットを取り外して刃を手動で再整列させることなく、カットの相対接近性を選択できる。対角スロット内のまたは調整摺動体に沿った事前設定戻り止めは、望ましいカット長さに関連する所定の隙間を形成する。調整摺動体は、戻り止め間を選択されて固定されたヘアカット長さ（例えば、所定のカット長さ）まで動く。
【００１３】
[0044]議論や理解を容易にするために、次に続く詳細な説明は、ヘアカット装置または「カッタ」と関連して磁気張力および／または刃セット調整を組み込む刃組立体を参照して例証するであろう。理解されるべきことは、「カッタ」が例示の目的のために提供され、本明細書に開示された刃組立体が任意のヘアカット、ヘアトリミング、またはヘアグルーミングデバイスと関連して使用できるということである。したがって、用語「カッタ」は、包括的であり、また、それらに限定されないが、ヘアトリマ、バリカン、または任意の他のヘアカットもしくはヘアグルーミングデバイスを含む任意のヘアグルーミングデバイスを指す。カッタデバイスは、人間、動物、あるいは、ヘアを有する任意の他の生物または無生物に適することができる。
【００１４】
[0045]図１は、ヘアカット装置、トリマ、バリカン、または、カッタ１００の実施形態例を例証している。カッタ１００は、本体１０２、刃セットもしくは刃組立体１０４、および駆動組立体１０６を含む。図１に例証されたように、本体１０２は、手持ち式であり、クラムシェル構成の２つの部分、第１の即ち上側のハウジング１０８および第２の即ち下側のハウジング１１０（例えば、カッタ１００の上部および底部の）を含む。カッタ１００の本体１０２は、他の構成を含むことができる。例えば、上側ハウジング１０８および／または下側ハウジング１１０は、単一の統合型本体１０２または構成要素部品を形成する。本体１０２は、ハウジング１０８および／またはハウジング１１０を他のクラムシェル構成で結合（例えば、１つまたは複数の側面から）でき、本体１０２の上部、底部、側面、または端部に追加の部品を含むことができる。刃組立体１０４は、並進する上側または内側の刃１１２と、静止する下側または外側の刃１１４と、を含む。本体１０２とハウジング１０８および／または１１０は、刃組立体１０４を含む切端１１６を規定する。本体１０２は、更にモータ１２０を支持するための空洞１１８を規定する。図１に例証されたように、空洞１１８は、本体１０２が刃組立体１０４に結合された駆動組立体１０６およびモータ１２０を囲むように、クラムシェル構成の上側ハウジング１０８および下側ハウジング１１０から形成される。
【００１５】
[0046]駆動組立体１０６は、空洞１１８の内部に位置されて、刃組立体１０４をモータ１２０に結合する。示されたように、モータ１２０は、回転式のＤＣ電気モータ１２０である。他の実施形態では、モータ１２０は、刃組立体１０４用の振動または往復運動を生成する旋回モータまたは磁気モータ１２０である。他の実施形態では、モータ１２０は、刃組立体１０４用、例えば、内刃１１２および／または外刃１１４用の振動または往復運動を生成するためのＡＣ電気モータまたは任意の他の適切なモータである。示されたように、モータ１２０は、電池電力（例えば、コードレス）で動作するように構成されるが、任意の適切な電源、例えば、コンセントにプラグ接続されたコード付きカッタ１００からの電気で動作するように構成できる。
【００１６】
[0047]モータ１２０は、回転軸線のまわりを回転する回転モータ出力軸１２２に結合する。偏心駆動装置１２４は、モータ出力軸１２２に結合され、回転軸線のまわりを偏心して回転する。偏心駆動装置１２４は、モータ出力軸１２２からオフセットしている偏心軸１２６を含む。換言すると、偏心軸１２６は、偏心軸１２６が、振動回転挙動を作成するために、回転軸線のまわりを非同心状に回転するように、モータ１２０の回転軸線からオフセットしている。偏心軸１２６は、刃組立体１０４のヨーク１２８（図２）に係合して、内刃１１２を直線的に並進または振動させるように構成される。刃組立体１０４は、本体１０２の切端１１６に結合される。例えば、刃組立体１０４は、接着剤、リベット、溶接、ボルト、ねじ、または少なくとも１つの締結具を用いて本体１０２に結合できる。
【００１７】
[0048]図２は、刃組立体１０４の斜視図を例証している。刃組立体１０４は、内刃１１２および外刃１１４を含む。例証された実施形態では、外刃１１４は、振動せず、内刃１１２が、カットを容易にするために外刃１１４に対して振動、往復、または摺動するように構成されるように、本体１０２に対して固定される。内刃１１２は、ヘアをカットできる切刃組立体１０４を作成するために、外刃１１４の上で振動する。
【００１８】
[0049]刃組立体１０４は、内刃１１２を外刃１１４の上で内刃１１２の振動挙動を横切る方向に並進させる調整隙間組立体、機構、または摺動体１３０を含む。この横切る方向への内刃１１２の並進は、カッタ１００の動作中にカット長さを変える。ばね保持器１３２は、ばね１３４を介して内刃１１２に結合する。ばね保持器１３２は、（例えば、締結具１３６によって）外刃１１４に固定式に取り付けされる。ばね１３４は、ばね保持器１３２をヨーク１２８に相互連結して、ヨーク１２８が偏心軸１２６の回転出力から振動するのを可能にする。
【００１９】
[0050]ヨーク１２８は、内刃１１２に結合され、また、モータ１２０に結合される偏心軸１２６に結合される。ヨーク１２８は、偏心軸１２６を通るモータ１２０の回転出力に基づいて、外刃１１４の上で内刃１１２を振動させる。換言すると、ばね保持器１３２は、外刃１１４に固定式に結合し、また、ばね保持器１３２に対するヨーク１２８の並進を可能にするために、ばね１３４を介してヨーク１２８に連結する。ヨーク１２８は、内刃１１２に固定式に結合され、また、偏心軸１２６を通してモータ１２０出力を受容する。偏心軸１２６の偏心回転は、外刃１１４の上で内刃１１２を振動させる。図１および２を参照すると、モータ１２０が回転すると、モータ出力軸１２２は、偏心軸１２６に結合された偏心駆動装置１２４を回転させる。偏心軸１２６がヨーク１２８の内部で回転すると、内刃１１２は、外刃１１４の上で振動する。図２に例証されたように、選択機機構または調整摺動体１３０は、外刃１１４の後縁に沿って摺動可能に結合する。動作する摺動体１３０は、内刃１１２の振動挙動に直交する方向における外刃１１４に対する内刃１１２の配向を変える。様々な実施形態では、摺動体１３０は、手動または電気的に（例えば、モータによって）電力供給される。
【００２０】
[0051]図３は、図２に例証された刃組立体１０４の分解図である。刃案内組立体、案内部材、またはＴ案内１３８は、内刃１１２を摺動体１３０に相互連結する。Ｔ案内１３８は、外刃縁１６８に対する内刃縁１６６の相対位置を維持する。換言すると、Ｔ案内１３８は、内刃１１２および摺動体１３０の双方に結合される。Ｔ案内１３８は、外刃１１４の後縁に沿った摺動体１３０の並進を、内刃１１２の振動挙動を横切る方向の内刃１１２の並進に変換する。Ｔ案内１３８は、摺動体１３０の内部に適合する角度付き縁１４０を含む。角度付き縁１４０は、外刃１１４の外側後縁に沿った摺動体１３０の動きが、Ｔ案内１３８が外刃１１４の上面に沿って内刃１１２を押しまたは引くのを引き起こすように、角度付けされている。このように、Ｔ案内１３８は、内刃１１２を外刃１１４に対して延ばすかまたは引っ込める。
【００２１】
[0052]幾つかの実施形態では、外刃１１４は、Ｔ案内１３８用のトラック、スロット、または凹所１４２を含む。凹所１４２は、Ｔ案内を内刃１１２および外刃１１４間に捕捉して、Ｔ案内１３８を凹所１４２に沿って方向付けし、内刃１１２を外刃１１４に対して、外刃１１４の後縁に沿った摺動体１３０の摺動挙動を横切る方向に、並進させる。
【００２２】
[0053]１つまたは複数の締結具１３６は、外刃１１４をばね保持器１３２および／または本体１０２に固定式に結合する（図１）。例証された実施形態では、外刃１１４のいずれかの側の２つの締結具１３６は、外刃１１４が振動しないおよび／または内刃１１２の振動および横方向並進に対して静止するように、外刃１１４をばね保持器１３２に固定式に取り付ける。この構成では、外刃１１４は、固定されている、静止している、または動いていないと言われる。幾つかの実施形態では、内刃１１２は、外刃１１４に対して動き、したがって、内刃１１２および／または外刃１１４は、並進および／または振動する。内刃１１２は、ヘアのカットを容易にするために外刃１１４に対して１つの方向に振動し、操作者が摺動体１３０を調整するときにカッタ１００のカット長さを変えるために直交方向または横断方向に並進する。
【００２３】
[0054]図３は、上部斜視図でのばね保持器１３２を示している。この図は、例示的な実施形態のばね保持器１３２に結合されたばね１３４の連結部を例証している。同様に、ばね１３４の端部は、ヨーク１２８に結合している。斯くして、ばね１３４は、モータ１２０からの出力に応答して内刃１１２が振動するときに、ヨーク１２８を中立の休止位置に付勢する。
【００２４】
[0055]図４は、例示的な実施形態に係るばね保持器１３２の下側の底部斜視図である。ばね保持器１３２は、ばね保持器１３２の後部（例えば、反対側の切端１１６）の一対のポケット１４６の内部に複数のリッジ（ｒｉｄｇｅ）１４４を含む。ポケット１４６は、摺動体１３０の両端（例えば、いずれかの側）を受容する。リッジ１４４は、摺動体１３０がポケット１４６の内部で摺動または並進できるように、摺動体１３０端部に摺動可能に取り付く。ポケット１４６の内部のリッジ１４４は、リッジ１４４によって形成された戻り止めの内部に摺動体１３０を解除可能に保持および／またはロックする。このように、リッジ１４４は、外刃１１４の後縁に沿った摺動体１３０の並進および保持を可能にする。斯くして、外刃１１４の後縁に沿った摺動体１３０の並進は、カット長さを制御するために、内刃１１２を延ばすかまたは引っ込める。ばね保持器１３２は、締結具１３６（図３）を受容してばね保持器１３２を外刃１１４に固定式に結合するための締結具穴１４８を含む。
【００２５】
[0056]図５は、刃組立体１０４の単離された上部斜視図であり、刃組立体１０４の構造は、内刃１１２、外刃１１４、摺動体１３０、および、Ｔ案内１３８の相互作用を明確に例証するために除去されている。内刃１１２は、内刃歯１５０を含む。外刃１１４は、外刃歯１５２を含む。外刃１１４の形状は、内刃１１２を外刃の上で並進させることがカッタ１００のカット長さを増加させるように、凸状にすることができる。例えば、内刃歯および／または外刃歯１５０および／または１５２は、歯１５２の先端でより薄く、歯１５２の根元または基部でより厚い。
【００２６】
[0057]フランジ１５４は、摺動体１３０のいずれかの側から延びており、リッジ１４４の戻り止めの内部に適合する突起（戻り止め）を含む（図４）。図３を参照して上で説明されたように、フランジ１５４は、ばね保持器１３２のポケット１４６の内部で摺動する。フランジ１５４は、リッジ１４４によって形成された戻り止めによって保持され、摺動体１３０を一時的に保持する。このように、カッタ１００のカット長さは、動作中に一定に保たれる。摺動体１３０は、更に把持形成部１５６を含む。把持形成部１５６は、摺動体１３０の上部、底部、および／または、側面に位置することができ、外刃１１４の後縁に沿った摺動体１３０の留めおよび摺動を容易にする。Ｔ案内１３８は、基部、延長本体、または、クロス部分または案内レール１７０（図３）の摺動並進を内刃１１２の下のリッジに連結するアーム１５８を含む。Ｔ案内１３８の案内レール１７０は、内刃１１２に隣接する上部側と、外刃１１４に隣接する底部側と、を有する。１対の締結具穴１６０は、締結具１３６が外刃１１４を通過するのを可能にし、外刃１１４をばね保持器１３２および／または本体１０２に固定式に結合する。
【００２７】
[0058]図６は、図５の刃組立体１０４の単離された上面図である。内刃１１２は、ヘアをカットするために外刃１１４の外刃歯１５２の上で協働して振動する内刃歯１５０を有する。図５および図６に示されたように、内刃歯１５０の先端は、凹んでいる。即ち、内刃歯１５０の先端は、外刃歯１５２の先端と整列していない。Ｔ案内１３８は、仮想線で内刃１１２の下に示されており、リッジの下で内刃１１２に結合している。
【００２８】
[0059]摺動体１３０が第１の方向即ち振動方向１６２（例えば、左および右）に並進するとき、内刃１１２は、第２の方向即ち横断方向１６４（例えば、前方および後方）に並進する。示されたように、横断方向１６４に沿った並進は、振動方向１６２に直交することができるが、それは、他の非直交方向への並進を含むこともできる。細長本体またはアーム１５８が確実にすることは、振動方向１６２の摺動体１３０の並進が、外刃縁１６８までの距離（または隙間）を増加または減少させるために、内刃１１２および内刃縁１６６を、横断方向１６４に並進させる、ということである。
【００２９】
[0060]幾つかの実施形態では、対角スロット機構（例えば、摺動体１３０のアーム１３８）は、内刃縁１６６および／または外刃縁１６８に平行な方向の摺動体１３０の運動が、内刃縁１６６および／または外刃縁１６８に垂直な方向に案内レール１７０を動かすように、Ｔ案内１３８の基部または細長アーム１５８に結合される。換言すると、摺動体１３０およびチャネル１７２は、アーム１５８と案内レール１７０との間に対角接合部を作成する。
【００３０】
[0061]細長アーム１５８は、Ｔ案内１３８の（内刃１１２および外刃１１４間に捕捉される）クロス部材または案内レール１７０を摺動体１３０に相互連結する。案内レール１７０は、図６において仮想線で摺動体１３０の内部に例証されている。チャネル１７２は、摺動体１３０が外刃１１４の後部に沿って摺動するときに角度付き縁１４０を押すかまたは引く摺動体１３０の内部に配設される。チャネル１７２が摺動体１３０の内部に位置するという理由で、チャネル１７２は、仮想線で同じく例証されている。角度付き縁１４０およびチャネル１７２は、摺動可能に結合され、したがって、摺動体１３０が第１の方向即ち振動方向１６２に並進すると、チャネル１７２は、摺動体１３０の内部の角度付き縁１４０を押すかまたは引く。摺動体１３０を振動方向１６２に動かすことは、内刃１１２に結合されるＴ案内１３８の案内レール１７０を、第２の方向即ち横断方向１６４に、延ばすかまたは引っ込める。これは、内刃１１２を横断方向１６４に延ばすかまたは引っ込めて、カッタ１００のカット長さを制御する。
【００３１】
[0062]幾つかの実施形態では、案内レール１７０は、磁気張力組立体１７４を含む。例えば、案内レール１７０は、磁化される強磁性材料である。他の実施形態では、案内レール１７０は、１つまたは複数の磁石１７６および／または別の電磁デバイス（例えば、巻線）を含む。磁気張力組立体１７４および／または磁石１７６は、刃案内組立体またはＴ案内１３８と、内側１１２および／または外側１１４の刃と、の間に引き付け（例えば、引張り）力を生成する。幾つかの実施形態では、力は、反発する。幾つかの実施形態では、案内レール１７０と内刃１１２および／または外刃１１４との間の磁気引張り力は、調整可能である。
【００３２】
[0063]幾つかの実施形態では、内刃１１２、外刃１１４、ヨーク１２８、および／または、Ｔ案内１３８は、内刃１１２および外刃１１４間に引き付けまたは反発する力を作成するために磁化される。幾つかの実施形態では、磁気組立体は、ヨーク１２８、内刃１１２、外刃１１４、または、Ｔ案内１３８のうちの少なくとも１つに位置する。換言すると、内刃１１２、外刃１１４、ヨーク１２８、Ｔ案内１３８、および／または、それらの任意の組合せは、内刃１１２および外刃１１４間の引張り力（引き付けまたは反発）を調整または制御するために磁界を作成する。例えば、磁化ヨーク１２８は、非導電性磁石担持体（例えば、鉄磁石１７６を担持するプラスチックヨーク１２８）または導電性磁性材料である。幾つかの実施形態では、複合力は、複数の磁石１７６から複合磁気力を作成するために比較的弱い磁気力の複数の磁石１７６から生成される。様々な磁石は、使用でき、磁気組立体の総費用を軽減できる。加えて、刃１１２および１１４間の力を制御するために磁気力を使用することは、ヘアをカットしている間に刃１１２および１１４間の摩擦を維持するために生成される引張り力を制御するために、信頼できる効率的な方法を作成する。
【００３３】
[0064]図６は、ばね保持器１３２の残りが除去された断面のリッジ１４４を示している。この図は、摺動体１３０のフランジ１５４と、ばね保持器１３２のリッジ１４４と、の間の相互作用を示している。フランジ１５４は、動作中の摺動体１３０の望まれない運動を防ぐために、リッジ１４４に形成された戻り止めの内部に解除可能にロックする。しかしながら、フランジ１５４およびリッジ１４４の相互作用は、操作者が摺動体１３０を摺動させるときに、解除される。
【００３４】
[0065]図７〜９は、どのように摺動体１３０が内刃１１２を外刃１１４に対して動かすかを例証する様々な構成の内刃１１２および外刃１１４を例証している。内刃１１２は、複数の内刃歯１５０を含む。内刃歯１５０は、内刃縁１６６に沿って延びる。内刃縁１６６は、内刃歯１５０の先端同士を連結する想像線によって規定される。同様に、外刃縁１６８は、外刃歯１５２の先端同士を連結する想像線によって規定される。内刃１１２は、外刃１１４の上部に位置（上部に着座）され、内刃縁１６６は、外刃縁１６８と平行であり、幾つかの実施形態では、外刃縁１６８からオフセットしている。動作中、内刃縁１６６および外刃縁１６８は、互いに対して振動する。内刃縁１６６に沿って形成された想像線と、外刃縁１６８に沿って形成された想像線と、の間の距離は、刃隙間１７８として規定される。
【００３５】
[0066]摺動体１３０の運動は、内刃１１２を外刃１１４に対して並進させ、それはヨーク１２８の内部の偏心軸１２６の配置を変える。ヨーク１２８は、内刃１１２を任意の刃隙間１７８で振動させるために、駆動組立体１０６の偏心軸１２６を受容するように構成される。図７〜９に例証されたように、外刃１１４に対する内刃１１２の３つの位置または構成、具体的には、「微細」、「中間」、および、「深い」構成が示されている。例えば、３つの構成が表すのは、微細隙間と、微細隙間よりも大きい中間隙間と、外刃縁１６８に対する内刃縁１６６間の微細隙間または中間隙間のいずれかよりも大きい長隙間と、である。追加の事前設定構成は、より大きな中間隙間および／またはカット長さを生成できる。摺動体１３０は、内刃縁１６６および外刃縁１６８間の２つ以上の所定の刃隙間１７８の間に順応できる。例えば、摺動体１３０は、２、３、４、５、６、７、８、９、１０、１１、１２、１３、１４、１５、１６、１７、１８、１９、２０、またはそれより多くの段階または所定の構成を含むことができる。
【００３６】
[0067]摺動体１３０は、どの摺動体１３０の構成がより長い「深い」またはより短い「微細」カットをもたらすかを表示するために、文句または銘文（例えば、「深い」および「微細」）ならびに触覚的および／または視覚的な表示体を含むことができる。例えば、摺動体１３０の一方側の単一のバンプ（例えば、「微細」）と反対側の２つ以上のバンプ（例えば、「深い」）とは、いずれかの構成における刃隙間１７８の視覚的表示および触覚的表示の双方を提供する。同様に、摺動体１３０の片側の短線と反対側の長線とは、摺動体１３０位置でのカット長さの視覚的表示および／または触覚的表示を提供する。
【００３７】
[0068]図７は、「微細」カット構成の摺動体１３０を備えた第１の完全に引き出された内刃１１２を例証する。この位置は、内刃縁１６６および外刃縁１６８が同一線上にあるという理由で、整列位置と呼ばれる。この構成では、内刃１１２は、内刃歯１５０の内刃縁１６６が外刃歯１５２の外刃縁１６８と整列するように、外刃１１４と整列される。この整列の理由で、刃隙間１７８がないかまたは比較的小さい刃隙間１７８は、内刃縁１６６および外刃縁１６８間に存在する。
【００３８】
[0069]示されたように、摺動体１３０は、外刃１１４上にセンタリングされないが、第２の締結具穴１６０（右側）よりも第１の締結具穴１６０（左側）の近くに位置する。換言すると、摺動体１３０は、外刃１１４の縁に沿って第１の側（例えば、中央より左）に位置して、Ｔ案内１３８を最大距離延ばす。この外刃縁１６８構成は、小さいかまたは存在しない刃隙間１７８を作成するために、外刃縁１６８を内刃縁１６６の近くに置く。その結果としては、内刃縁１６６は、完全に延びるかおよび／または外刃縁１６８と整列して短い即ち「微細」なカット長さを作り出す。
【００３９】
[0070]図７に示されたように、左フランジ１５４は、リッジ１４４に対して反対側の右フランジ１５４よりもリッジ１４４に沿って更に延長される。違う述べ方をすると、左リッジ１４４は、殆ど完全に左フランジ１５４の内部にあり、右リッジ１４４は、殆ど完全に摺動体１３０の右フランジ１５４の内部に延長される。この構成では、チャネル１７２は、案内レール１７０を最大距離押して、結果として、内刃歯１５０および／または内刃縁１６６の完全な延長をもたらす。
【００４０】
[0071]図８は、外刃１１４に対する内刃１１２の第２の位置またはセンタリング位置を示している。この構成では、摺動体１３０は、フランジ１５４がいずれかの側のリッジ１４４の上で等距離延びるように、リッジ１４４のいずれかの側でセンタリングされる。フランジ１５４は、摺動体１３０の両側のリッジ１４４の上で等距離延びる。この構成は、Ｔ案内１３８および案内レール１７０がセンタリングされてアーム１５８が摺動体１３０の内部でセンタリングされるように、チャネル１７２をセンタリングする。内刃縁１６６は、中間位置にあり、完全に延びても完全に引っ込んでもいない。内刃１１２の内刃縁１６６は、外刃１１４の外刃縁１６８の上で、完全な引き出しと完全な引っ込みとの間の中途であり、中間にサイズ決めされた刃隙間１７８を形成する。この構成は、中間または「中間長さ」のカットをもたらす。
【００４１】
[0072]図９は、完全に引っ込んだ内刃１１２を示す。摺動体１３０は、完全に右側に延びている。摺動体１３０は、左側の第１の締結具穴１６０よりも右側の第２の締結具穴１６０に近く、より長いカットの操作者に視覚的表示を提供する。右リッジ１４４は、殆ど完全に右フランジ１５４の内部にあり、左リッジ１４４は、殆ど完全に左フランジ１５４の内部に延びる。この構成では、内刃１１２は、内刃縁１６６が外刃縁１６８から最大に変位するように、外刃１１４に沿って完全に引っ込められる。この構成は、角度付き縁１４０を、外刃縁１６８から最大距離、引くかまたは変位させ、刃隙間１７８長さを最大化する。したがって、カッタ１００のカットヘア長さは、最大化され、長い即ち「深い」カット長さを作り出す。
【００４２】
[0073]図１０〜１３は、刃組立体２０４を備えたカッタ２００の別の実施形態を例証している。刃組立体２０４は、上側本体２１３を備えた内刃２１２と、下側本体２１５を備えた外刃２１４と、を含む。カッタ２００の実施形態は、説明された差異を除いて、図１〜９に例証されたカッタ１００の実施形態と実質上同一または同様である。カッタ１００の実施形態とは対照的に、カッタ２００の実施形態は、案内チャネル２８２および案内本体２８４を規定するＵ形状部分２８０を含む（図１１〜１２）。カッタ２００の同様の構成要素は、カッタ１００と同じ参照番号が割り当てられて、２００から始まっている。
【００４３】
[0074]図１０は、内刃２１２、内側本体２１３、および、複数の内刃歯２５０を示している。内刃歯２５０は、内刃縁２６６に沿って延びる。内刃縁２６６は、内刃歯２５０の先端同士を連結する想像線によって規定される。外刃２１４は、本体２１５と複数の外刃歯２５２を含む。外刃歯２５２は、外刃縁２６８に沿って延びる。外刃縁２６８は、外刃歯２５２の先端同士を連結する結ぶ仮想線によって規定される。幾つかの実施形態では、内刃縁２６６および外刃縁２６８は、歯２５０および／または２５２の（先端同士ではなく）根元同士を連結する線として規定される。上刃２１２は、外刃２１４の上部に位置（上部に着座）され、内刃縁２６６は、外刃縁２６８と平行であり、外刃縁２６８から刃隙間２７８だけオフセットしている。内刃縁２６６および外刃縁２６８間の距離は、刃隙間２７８として規定される。
【００４４】
[0075]幾つかの実施形態では、内刃２１２、外刃２１４、ヨーク２２８、および／または、刃案内組立体２８６は、内刃２１２および外刃２１４間に引き付けまたは反発する力を作成するために磁化される。例えば、磁気組立体は、ヨーク２２８、内刃２１２、外刃２１４、または、Ｔ案内２３８のうちの少なくとも１つに位置する。換言すると、内刃２１２、外刃２１４、ヨーク２２８、Ｔ案内２３８、および／または、それらの任意の組合せは、内刃２１２および外刃２１４間の引張り力（引き付けまたは反発）を調整または制御するために磁界を作成する。例えば、磁化ヨーク２２８は、非導電性磁石担持体（例えば、鉄磁石２７６を担持するプラスチックヨーク２２８）または導電性磁性材料である。幾つかの実施形態では、複合力は、複数の磁石２７６から複合磁気力を作成するために比較的弱い磁気力の複数の磁石２７６から生成される。様々な磁石は、使用でき、磁気組立体の総費用を軽減できる。加えて、刃２１２および２１４間の力を制御するために磁気力を使用することは、ヘアをカットしている間に刃２１２および２１４間の摩擦を維持するために生成される引張り力を制御するために、信頼できる効率的な方法を作成する。
【００４５】
[0076]図１１〜１３を参照すると、刃案内組立体２８６は、刃案内２８８と、外刃２１４の内部のスロット２９０によって受容される突起２９２と、を含む。刃案内組立体２８６は、外刃縁２６８に対する内刃縁２６６の相対位置を維持する。スロット２９０は、本体２１５内に位置されて外刃縁２６８に平行に延びる。他の実施形態では、スロット２９０は、外刃縁２６８に対して任意の適切な方向に配向される。刃案内２８８は、同じく外刃２１４に結合される。例えば、刃案内２８８は、摩擦嵌合（例えば、突起２９２がスロット２９０等々によって摩擦で受容される）、接着剤、および／または、任意の適切な締結具（例えば、ねじ等々）によって締結される。突起２９２を受容することは、刃案内２８８を外刃２１４に対して配向して、内刃２１２の案内を容易にする。
【００４６】
[0077]図１１〜１２を参照すると、Ｕ形状部分２８０は、案内チャネル２８２および案内本体２８４を規定する。案内チャネル２８２は、内刃縁２６６の反対側にある内刃２１２の端部（例えば、内刃２１２の後端または縁）を受容する。案内チャネル２８２は、振動中に外刃２１４に対して内刃２１２の往復動（または横方向）案内を容易にするために、内刃縁２６６に平行に配向される。案内本体２８４は、案内チャネル２８２から延びて遠ざかり、内刃２１２および外刃２１４間に位置される。案内本体２８４は、内刃２１２に隣接する上部側と、外刃２１４に隣接する底部側と、を有する。
【００４７】
[0078]幾つかの実施形態では、刃組立体２０４は、磁気張力組立体２７４を含む。磁気張力組立体２７４は、電磁力を使用して、内刃２１２および外刃２１４間に、例えば、刃組立体２０４と内刃２１２および／または外刃２１４との間に、引き付け力または張力を適用する。幾つかの実施形態では、磁気張力組立体２７４は、刃２１２および２１４間に張力を適用する従来のばねベースのシステムに取って代わる。引き付ける引張り力は、振動する往復動（例えば、ヘアカット）中において外刃２１４に対する内刃２１２の（上および下）位置を維持する。
【００４８】
[0079]下で詳細に説明されるであろうように、幾つかの実施形態では、内刃２１２および／または外刃２１４間の磁気引張り力は、調整可能である。幾つかの実施形態では、磁気極性は、磁気力が内刃２１２および外刃２１４を反発させる（例えば、反発力を刃２１２および２１４に生成する）ように、逆にされる。
【００４９】
[0080]磁気張力組立体２７４は、磁化された強磁性材料、および／または、内刃２１２および外刃２１４間に位置する少なくとも１つの磁石２７６、を含む。例証された棒磁石２７６は、内刃２１２および外刃２１４間にサンドイッチにされている。他の実施形態では、磁石２７６は、任意の適切な電磁力（例えば、永久磁石、ポリ磁石、電気コイル等々）、あるいは、形状（例えば、円形、横長形、または、磁化されたクロス部材もしくは案内レール２７０）を含む。幾つかの実施形態では、磁石２７６は、内刃２１２および外刃２１４間に位置される複数の磁石を含む。磁石２７６は、外刃２１４に締結（そうでなければ結合）される。例えば、磁石２７６は、接着剤、締結具（例えば、ねじ等々）、または、任意の他の適切な締結するデバイスによって締結される。磁石２７６は、次いで振動中に、引き付ける磁気力または引張り力を内刃２１２に適用する。別の述べ方をすると、内刃２１２は、磁石２７６によって外刃２１４に向けて引かれる。磁石２７６によって適用される引き付ける引張り力は、内刃２１２が外刃２１４に対して往復動でき、同時に、外刃縁２６８に対する内刃縁２６６の位置を維持するようにされる。磁石２７６は、磁気引き付け（例えば、引張り）力を内刃２１２に適用するために、刃２１２および２１４間に捕捉され、それは往復動中の内刃２１２の改善された張力制御を提供する。
【００５０】
[0081]動作中、モータ２２０は、駆動組立体２０６および／または伝送装置（図示せず）を介して、外刃２１４に対する内刃２１２の往復動を駆動する。内刃２１２の往復動中、刃案内組立体２８６は、一定の刃隙間１８６を維持するために、外刃２１４に対する内刃２１２の往復運動を案内する。加えて、磁気張力組立体２７４は、摩擦を軽減して均一なカットを容易にするために、外刃縁２６８に対する内刃縁２６６の位置を維持するように、磁気引張り力を内刃２１２に適用する。
【００５１】
[0082]図１４〜１７は、刃組立体３０４を備えたカッタ３００の別の実施形態を例証している。刃組立体３０４は、上側本体３１３を備えた内刃３１２と、下側本体３１５を備えた外刃３１４と、を含む。カッタ３００の実施形態は、説明された差異を除いて、カッタ１００および２００の実施形態と実質上同一または同様である。カッタ１００および２００の実施形態とは対照的に、３００の実施形態は、外刃３１４に対する刃案内組立体３０６のための代替の締結具３３６を含む。加えて、カッタ３００の刃組立体３０４は、磁気張力組立体３７４の代替の実施形態を含む。カッタ３００の同様の構成要素は、カッタ１００および２００と同じ参照番号が割り当てられて、３００を備えて始まっている。
【００５２】
[0083]幾つかの実施形態では、内刃３１２、外刃３１４、ヨーク３２８、および／または、刃案内組立体３８６は、内刃３１２および外刃３１４間に引き付けまたは反発する力を作成するために磁化される。例えば、磁気組立体は、ヨーク３２８、内刃３１２、外刃３１４、または、Ｔ案内３３８のうちの少なくとも１つに位置する。換言すると、内刃３１２、外刃３１４、ヨーク３２８、刃案内組立体３８６、および／または、それらの任意の組合せは、内刃３１２および外刃３１４間の引張り力（引き付けまたは反発）を調整または制御するために磁界を作成する。例えば、磁化ヨーク３２８は、非導電性磁石担持体（例えば、鉄磁石３７６を担持するプラスチックヨーク３２８）または導電性磁性材料である。幾つかの実施形態では、複合力は、複数の磁石３７６から複合磁気力を作成するために比較的弱い磁気力の複数の磁石３７６から生成される。様々な磁石は、使用でき、磁気組立体の総費用を軽減できる。加えて、刃３１２および３１４間の力を制御するために磁気力を使用することは、ヘアをカットしている間に刃３１２および３１４間の摩擦を維持するために生成される引張り力を制御するために、信頼できる効率的な方法を作成する。
【００５３】
[0084]図１５〜１６は、本体３１５の外刃３１４のスロット３９０の相補的な幾何形状によって受容されるように構成される幾何形状を有する刃案内３８８の突起３９２を例証している。具体的には、突起３９２は、台形スロット３９０によって受容される台形断面形状を規定する。これは、突起３９２がスロット３９０によって捕捉されて摺動可能に受容されること、同時に、刃案内組立体３８６を外刃３１４に締結（そうでなければ保持）することも可能にする。刃案内組立体３８６は、外刃縁３６８に対する内刃縁３６６の相対位置を維持する。事実上、突起３９２およびスロット３９０は、分離に対する抵抗を提供するために、蟻継ぎ接合体（または蟻継ぎ）を共に形成する。突起３９２は、刃案内組立体３８６を外刃３１４に締結するために、スロット３９０によって規定される相補的な断面形状によって受容される任意の適切な断面形状（例えば、幾何的、三角形等々）を有することができる。
【００５４】
[0085]図１４〜１７は、磁気張力組立体３７４を備えた刃組立体３０４を例証している。磁気張力組立体３７４は、（例えば、図１４に示されたように）締結具３３６によって外刃３１４に結合された第１の、上部の、または、上側の磁石ホルダ３９４を含む。上側の磁石ホルダ３９４は、第１の、上部の、または、上側の磁石３７６ａを保持（または把持）する一対のアームまたは延長部３９６ａ、３９６ｂを含む。換言すると、上側の磁石３７６ａは、（例えば、接着剤、ねじやボルトなどの締結具等々によって）延長部３９６ａおよび３９６ｂに締結される。上側の磁石３７６ａは、棒磁石３７６として例証されている。しかしながら、他の実施形態では、上側の磁石３７６ａは、任意の適切な磁石３７６または複数の磁石３７６である。上側の磁石ホルダ３９４の延長部３９６ａおよび３９６ｂは、内刃３１２の上で延びる。上側の磁石ホルダ３９４は、外刃３１４に面する側の反対側の内刃３１２の側に位置される。
【００５５】
[0086]図１５〜１７を参照すると、第２の、底部の、または、下側の磁石３７６ｂは、（例えば、接着剤、ねじやボルトなどの締結具等々によって）内刃３１２に締結される。底部の磁石３７６ｂは、棒磁石３７６ｂとして例証されている。しかしながら、他の実施形態では、底部の磁石３７６ｂは、任意の適切な磁石３７６または複数の磁石３７６である。底部の磁石３７６ｂは、外刃３１４に面する側の反対側の内刃３１２の側に位置される。斯くして、上側の磁石３７６および底部の磁石３７６ｂは、互いに反対の、反対面関係または配向にある。この構成では、上側の磁石３７６ａは、不動であり（例えば、外刃３１４に結合された延長部３９６ａおよび３９６ｂによって把持され）、他方、底部の磁石３７６ｂは、内刃３１２に結合されて、動作中に内刃３１２と共に移動または振動するように構成される。斯くして、底部の磁石３７６ｂは、内刃３１２と共に往復動する。
【００５６】
[0087]幾つかの実施形態では、上側の磁石３７６および底部の磁石３７６ｂは、内刃３１２および外刃３１４が反発力を経験するように、同じ極性を有する磁石である。幾つかの実施形態では、上側の磁石３７６および底部の磁石３７６ｂは、内刃３１２および外刃３１４が引き付け力を経験するように、反対の極性を有する。斯くして、磁石３７６ａおよび３７６ｂの配向は、互いに磁気的に反発するようなものである。磁石３７６ａおよび３７６ｂは、押し離すかまたは反発して、底部の磁石３７６ｂは、内刃３１２を外刃３１４に向けて押す。これは、刃３１２および３１４を分離する磁気力を生成し、動作中に外刃縁３６８に対する内刃縁３６６の位置を維持し、摩擦負荷を軽減してカットを容易にする。下で詳細に説明されるであろうように、幾つかの実施形態では、内刃３１２および／または外刃３１４間の磁気力は、調整可能である。
【００５７】
[0088]図１８〜２１は、刃組立体４０４を備えたカッタ４００の別の実施形態を例証している。刃組立体４０１は、外刃４１４に結合された内刃４１２を含む。カッタ４００の実施形態は、説明された差異を除いて、カッタ１００、２００、および３００の実施形態と実質上同一または同様である。カッタ１００、２００、および３００の実施形態とは対照的に、カッタ４００の実施形態は、磁気張力組立体４７４および刃案内組立体４８６の代替の実施形態を備えた刃組立体４０４を含む。刃組立体４０４は、カッタ４００の実施形態に結合されて示されている。カッタ４００の同様の構成要素は、カッタ１００と同じ参照番号が割り当てられて、４００を備えて始まっている。
【００５８】
[0089]幾つかの実施形態では、内刃４１２、外刃４１４、ヨーク４２８、および／または、刃案内組立体４８６は、内刃４１２および外刃４１４間に引き付けまたは反発する力を作成するために磁化される。例えば、磁気組立体は、ヨーク４２８、内刃４１２、外刃４１４、または、刃案内組立体４３８のうちの少なくとも１つに位置する。換言すると、内刃４１２、外刃４１４、ヨーク４２８、刃案内組立体４８６、および／または、それらの任意の組合せは、内刃４１２および外刃４１４間の引張り力（引き付けまたは反発）を調整または制御するために磁界を作成する。例えば、磁化ヨーク４２８は、非導電性磁石担持体（例えば、鉄磁石４７６を担持するプラスチックヨーク４２８）または導電性磁性材料である。幾つかの実施形態では、複合力は、複数の磁石４７６から複合磁気力を作成するために比較的弱い磁気力の複数の磁石４７６から生成される。様々な磁石は、使用でき、磁気組立体の総費用を軽減できる。加えて、刃４１２および４１４間の力を制御するために磁気力を使用することは、ヘアをカットしている間に刃４１２および４１４間の摩擦を維持するために生成される引張り力を制御するために、信頼できる効率的な方法を作成する。
【００５９】
[0090]図１８〜１９は、案内面４８２を規定する案内部材４８０を備えた刃案内組立体４８６を例証している。刃案内組立体４８６は、外刃縁４６８に対する内刃縁４６６の相対位置を維持する。案内面４８２は、内刃４１２の一部に係合するように構成される傾斜面である。より具体的には、案内面４８２は、内刃縁４６６の反対側の内刃４１２の端部（例えば、内刃４１２の後端）に係合する。上刃４１２は、外刃４１４に対する内刃４１２の往復運動を案内して一定の隙間４７８を維持するために、往復動中に案内面４８２に沿って摺動するように構成される。幾つかの実施形態では、案内組立体４８６は、Ｔ案内４３８の案内レール４７０であり、Ｔ案内１３８および／または案内レール１７０と同一かまたは同様である。この構成では、Ｔ案内４３８の案内レール４７０は、内刃および外刃間に捕捉されており、内刃４１２に隣接する上部側と、外刃４１４に隣接する底部側と、を有する。
【００６０】
[0091]図１９は、刃隙間調整可能レバー４３０を備えた刃案内組立体４８６を例証している。幾つかの実施形態では、調整可能なレバー４３０は、摺動体１３０と同様であり、隙間４７８長さを変えるために動作する。例えば、調整レバー４３０の回転は、内刃４１２の振動挙動に対して横断方向の前方または後方に案内部材４８０を摺動または並進させる。案内部材４８０が前方に動くと、内刃４１２は、同じく前方に動いて、刃隙間４７８を減少させる。案内部材４８０が後方に動くと、内刃４１２は、同じく後方に動いて、刃隙間４７８を増加させる。
【００６１】
[0092]図２０〜２１は、カッタ４００の磁気張力組立体４７４を例証している。磁気張力組立体４７４は、ディスク磁石４７６として例証された磁石４７６を含む。磁石４７６は、任意の適切な磁石４７６または複数の磁石４７６にすることができる。磁石４７６は、外刃４１４に面する側の反対側である内刃４１２の側に位置される。磁石４７６は、内刃４１２を外刃４１４に向けて引き付ける磁気引張り力を提供する。磁気引張り力は、内刃４１２を外刃４１４に向けて引くのに十分である。これは、動作中に外刃縁４６８に対する内刃縁４６６の位置を維持する磁気張力を生成し、カットを容易にする。
【００６２】
[0093]幾つかの実施形態では、内刃４１２および／または外刃４１４間の磁気引張り力は、調整可能である。幾つかの実施形態では、磁気極性は、磁気力が内刃４１２および／または外刃４１４を反発させるように、逆にされる。
【００６３】
[0094]図２２〜２３は、刃組立体５０４を備えたカッタ５００の別の実施形態を例証している。刃組立体５０４は、内刃５１２および外刃５１４を含む。カッタ５００の実施形態は、説明された差異を除いて、図１〜２１の実施形態と実質上同一または同様である。図１〜２１の実施形態とは対照的に、刃組立体５０４は、磁気張力組立体５７４および刃案内組立体５８６の代替の実施形態を含む。刃案内組立体５８６は、外刃縁５６８に対する内刃縁５６６の相対位置を維持する。刃組立体５０４は、カッタ５００の実施形態に結合されて示されている。カッタ５００の同様の構成要素は、カッタ１００と同じ参照番号が割り当てられて、５００を備えて始まっている。
【００６４】
[0095]幾つかの実施形態では、内刃５１２、外刃５１４、ヨーク５２８、および／または、刃案内組立体５８６は、内刃５１２および外刃５１４間に引き付けまたは反発する力を作成するために磁化される。例えば、磁気組立体は、ヨーク５２８、内刃５１２、外刃５１４、または、刃案内組立体５８６のうちの少なくとも１つに位置する。換言すると、内刃５１２、外刃５１４、ヨーク５２８、刃案内組立体５８６、および／または、それらの任意の組合せは、内刃５１２および外刃５１４間の引張り力（引き付けまたは反発）を調整または制御するために磁界を作成する。例えば、磁化ヨーク５２８は、非導電性磁石担持体（例えば、鉄磁石５７６を担持するプラスチックヨーク５２８）または導電性磁性材料である。幾つかの実施形態では、複合力は、複数の磁石５７６から複合磁気力を作成するために比較的弱い磁気力の複数の磁石５７６から生成される。様々な磁石は、使用でき、磁気組立体の総費用を軽減できる。加えて、刃５１２および５１４間の力を制御するために磁気力を使用することは、ヘアをカットしている間に刃５１２および５１４間の摩擦を維持するために生成される引張り力を制御するために、信頼できる効率的な方法を作成する。
【００６５】
[0096]幾つかの実施形態では、案内組立体５８６は、Ｔ案内５３８の案内レール５７０を含み、Ｔ案内１３８および／または案内レール１７０と同一かまたは同様である。この構成では、Ｔ案内５３８の案内レール５７０は、内刃５１２および外刃５１４間に捕捉されており、内刃５１２に隣接する上部側と、外刃５１４に隣接する底部側と、を有する。
【００６６】
[0097]磁気張力組立体５７４は、磁気張力組立体４７４と実質上同じであり、同様の番号は、同様の構成要素を識別する。磁気張力組立体５７４は、外刃５１４に結合された金属部材５９８を含む（例えば、接着剤および／または締結具）。金属部材５９８は、外刃５１４に位置され、内刃５１２および外刃５１４間にサンドイッチにされている。別の述べ方をすると、金属部材５９８は、内刃５１２に面する外刃５１４の内部側に、また、内刃５１２および外刃５１４間に、位置される。金属部材５９８は、磁石５７６を引き付ける追加の面または材料を提供する。斯くして、金属部材５９８は、内刃５１２を外刃５１４に向けて引き付ける磁石５７６から発せられる引き付ける磁気力と係合し、内刃５１２を外刃５１４に向けて引く。生成された磁気張力は、動作中に外刃縁５６８に対する内刃縁１７８の位置を維持する。この実施形態では、刃５１２および／または５１４は、金属構成要素である必要はなく、例えば、刃５１２または５１４は、プラスチックまたは複合部品である。
【００６７】
[0098]金属部材５９８は、磁気力によって磁石５７６に引き付けられる任意の適切な強磁性材料または他の適切な材料にすることができる。幾つかの実施形態では、金属部材５９８は、内刃５１２および外刃５１４が反発するように、磁石５７６と同じ極性で磁化される。下で詳細に説明されるであろうように、幾つかの実施形態では、内刃５１２および／または外刃５１４間の磁気力は、調整可能または測定可能である。
【００６８】
[0099]図２４〜２６は、刃組立体６０４を備えたカッタ６００の別の実施形態を例証している。刃組立体６０４は、内刃６１２および外刃６１４を含む。カッタ６００の実施形態は、説明された差異を除いて、図１〜２３の実施形態と実質上同一または同様である。図１〜２３の実施形態とは対照的に、カッタ６００は、磁気張力組立体６７４の代替の実施形態を備えた代替の刃案内組立体６８６を含む。カッタ６００の同様の構成要素は、カッタ１００と同じ参照番号が割り当てられて、６００を備えて始まっている。下で詳細に説明されるであろうように、幾つかの実施形態では、内刃６１２および／または外刃６１４間の磁気引張り力は、調整可能である。
【００６９】
[00100]幾つかの実施形態では、内刃６１２、外刃６１４、ヨーク６２８、および／または、Ｔ案内６３８は、内刃６１２および外刃６１４間に引き付けまたは反発する力を作成するために磁化される。例えば、磁気組立体は、ヨーク６２８、内刃６１２、外刃６１４、または、Ｔ案内６３８のうちの少なくとも１つに位置する。換言すると、内刃６１２、外刃６１４、ヨーク６２８、Ｔ案内６３８、および／または、それらの任意の組合せは、内刃６１２および外刃６１４間の引張り力（引き付けまたは反発）を調整または制御するために磁界を作成する。例えば、磁化ヨーク６２８は、非導電性磁石担持体（例えば、鉄磁石６７６を担持するプラスチックヨーク６２８）または導電性磁性材料である。幾つかの実施形態では、複合力は、複数の磁石６７６から複合磁気力を作成するために比較的弱い磁気力の複数の磁石６７６から生成される。様々な磁石は、使用でき、磁気組立体の総費用を軽減できる。加えて、刃６１２および６１４間の力を制御するために磁気力を使用することは、ヘアをカットしている間に刃６１２および６１４間の摩擦を維持するために生成される引張り力を制御するために、信頼できる効率的な方法を作成する。
【００７０】
[00101]図２４〜２６は、案内部材６８０を備えた刃案内組立体６８６を示す。刃案内組立体６８６は、外刃縁６６８に対する内刃縁６６６の相対位置を維持する。幾つかの実施形態では、案内部材６８０は、Ｔ案内１３８と同一かまたは同様である。案内部材６８０は、Ｔ形状であり、調整組立体６９９（図２４に示された）によって外刃６１４に実装される。この構成では、Ｔ案内６３８のクロス部材６７０は、内刃６１２および外刃６１４間に捕捉されており、内刃６１２に隣接する上部側と、外刃６１４に隣接する底部側と、を有する。幾つかの実施形態では、調整組立体６９９は、摺動体１３０、レバー４３０、および／または、レバー６３０を含む。調整組立体６９９は、隙間６７８を増加または減少させるために、内刃６１２を外刃６１４の上で並進させるように動作する。Ｔ形状案内部材６８０は、案内基部６５８（延長アーム１５８と同一かまたは同様）と、クロス部材・部分もしくは案内レール６３８（案内レール１３８と同一かまたは同様）と、を含む。案内レール６３８の輪郭は、図２４に破線で示される。
【００７１】
[00102]案内レール６３８は、内刃６１２および外刃６１４間に位置される（図２５〜２６）。調整組立体６９９は、レバー６３０（図２４）を含んでおり、外刃６１４に対する内刃６１２の運動を容易にし、刃隙間６７８を調整する。具体的には、第１の方向へのレバー６３０の運動は、外刃６１４の下刃縁６６８の反対側の基部に沿って起こり、振動方向を横切る方向において並進力を案内基部６５８に提供する。並進力は、案内部材６８０を並進方向（例えば、前方）に動かす。案内部材６８０は、刃隙間６７８を増加／減少させるために、内刃６１２を同じ並進方向（例えば、前方）に並進させる。例えば、反対方向（例えば、後方）のレバー６３０の運動は、並進力を案内基部６５８に発生させ、案内部材６８０をそれの元の位置に並進復帰させる。案内部材６８０は、内刃６１２に結合して、刃６１２を同じ方向に並進させ、刃隙間６７８を増加または減少させる。
【００７２】
[00103]図２５〜２６は、磁気張力組立体６７４を例証している。磁気張力組立体６７４は、複数のディスク磁石６７６として例証された磁石６７６を含む。磁石６７６は、任意の適切な磁石６７６または複数の磁石６７６にすることができる。磁石６７６は、案内部材６８０に位置または結合される。幾つかの実施形態では、案内部材６８０は、Ｔ案内６３８と同一または同様である。磁石６７６は、案内レール６３８および／またはクロス部材６７０の案内レール６３８に締結される。例えば、磁石６７６は、クロス部材６７０または案内レール６３８に規定された関連アパーチャに受容されるように構成されたディスク磁石６７６である。磁石６７６は、関連アパーチャによって摺動可能に受容され、保持を容易にする幾何形状（例えば、「トップハット」幾何形状等々）を有する。他の実施形態では、磁石６７６は、（例えば、接着剤、締結具等々によって）案内レール６３８またはクロス部材６７０に結合される。磁石６７６は、内刃６１２の下側、または、案内部材６８０に面する内刃６１２の内側、に面するように位置される。磁石６７６は、内刃６１２に係合して内刃６１２を案内部材６８０に向けて（延いては、外刃６１４に向けて）引く引き付ける磁気力を提供する。磁気力は、刃６１２および６１４間に引き付ける磁気張力を生成するのに十分であり、動作中に外刃縁６６８に対する内刃縁６６６の位置を維持して、モータ６２０への負荷を軽減し、カットを容易にする。
【００７３】
[00104]図２７〜３０は、刃組立体７０４を備えたカッタ７００の別の実施形態を例証している。刃組立体７０４は、内刃７１２および外刃７１４を含む。刃案内組立体７８６は、外刃縁７６８に対する内刃縁７６６の相対位置を維持する。幾つかの実施形態では、案内組立体７８６は、Ｔ案内７３８の案内レール７７０を含み、Ｔ案内１３８および／または案内レール１７０と同一かまたは同様である。この構成では、Ｔ案内７３８の案内レール７７０は、内刃７１２および外刃７１４間に捕捉されており、内刃７１２に隣接する上部側と、外刃７１４に隣接する底部側と、を有する。
【００７４】
[00105]カッタ７００の実施形態は、説明された差異を除いて、図１〜２６の実施形態と実質上同一または同様である。図１〜２６の実施形態とは対照的に、カッタ７００は、電磁石７７６を含む磁気張力組立体７７４の代替の実施形態を含む。
【００７５】
[00106]幾つかの実施形態では、内刃７１２、外刃７１４、ヨーク７２８、Ｔ案内７３８、および／または、刃案内組立体７８６は、内刃７１２および外刃７１４間に引き付けまたは反発する力を作成するために磁化される。例えば、磁気組立体は、ヨーク７２８、内刃７１２、外刃７１４、Ｔ案内７３８、または、刃案内組立体７８６のうちの少なくとも１つに位置する。換言すると、内刃７１２、外刃７１４、ヨーク７２８、Ｔ案内７３８、刃案内組立体７８６、および／または、それらの任意の組合せは、内刃７１２および外刃７１４間の引張り力（引き付けまたは反発）を調整または制御するために磁界を作成する。例えば、磁化ヨーク７２８は、非導電性磁石担持体（例えば、鉄磁石７７６を担持するプラスチックヨーク７２８）または導電性磁性材料である。幾つかの実施形態では、複合力は、複数の磁石７７６から複合磁気力を作成するために比較的弱い磁気力の複数の磁石７７６から生成される。様々な磁石は、使用でき、磁気組立体の総費用を軽減できる。加えて、刃７１２および７１４間の力を制御するために磁気力を使用することは、ヘアをカットしている間に刃７１２および７１４間の摩擦を維持するために生成される引張り力を制御するために、信頼できる効率的な方法を作成する。
【００７６】
[00107]図２８〜２９を参照すると、電磁石７７６は、巻線７３３を備えた部材７１１を含む。電磁石７７６は、内刃７１２に結合される。より具体的には、部材７１１は、第１の端部７５５および第２の端部７７７を含む（図２９に示される）。第１および第２の端部７５５および７７７は、内刃７１２を通って延びて外刃７１４に接触する。動作中、電気（または電荷もしくは電流）は、部材７１１を磁化するために、巻線７３３に適用される。磁界は、外刃７１４と係合するために、第１および第２の端部７５５および７７７を通って延びる。端部７５５および７７７は、磁束を集中させて、外刃７１４と係合して内刃７１２を外刃７１４に向けて引く引き付ける磁気力（例えば、張力または引張り力）を提供する。磁気力は、動作中に外刃縁７６８に対する内刃縁７６６の位置を維持する磁気張力を生成するのに十分である。斯くして、端部７５５および７７７は、内刃７１２を外刃７１４に向けて引くために、磁気導管（または電磁石）として作用する。
【００７７】
[00108]磁気張力組立体７７４から電磁石７７６に供給される電流または電圧（または電荷）は、カッタ７００の動作に関連付けできる。具体的には、負荷センサ７８８は、モータ７２０への負荷または速度における増加および／または減少を検出するために、カッタ７００と合体される。モータ７２０の負荷または速度における変化は、刃７１２および７１４間の摩擦負荷または速度に比例する。センサ７８８は、内刃７１２および７１４間の磁気力を増加または減少させるために、モータ７２０の負荷および／または速度変化を示す信号を電磁石７７６に送信する。モータ７２０への負荷の変化は、ヘアのカット中に受ける刃７１２および７１４間の摩擦負荷（および／または速度）を示すおよび／または比例する。検出された負荷が増加するかまたは速度が低下すると、電磁石７７６に供給される電圧および／または電力は、内刃７１２および外刃７１４間の張力を改善するために、増加される。例えば、センサ７８８が、モータ７２０への変化した負荷、あるいは、モータ７２０、内刃７１２および／または外刃７１４の間の速度変化を検出すると、センサ７８８は、磁気張力組立体７７４の電流を増加させるために、信号を電磁石７７６に送信して、案内部材７８０と内刃７１２および外刃７１４との間の磁気引き付け力または引張り力を増加させ、摩擦負荷を軽減させてモータ７２０への負荷を軽減させる。
【００７８】
[00109]図３１〜３２は、刃組立体８０４を備えたカッタ８００の別の実施形態を例証する。刃組立体８０４は、内刃８１２および外刃８１４を含む。刃案内組立体８８６は、外刃縁８６８に対する内刃縁８６６の相対位置を維持する。幾つかの実施形態では、案内組立体８８６は、Ｔ案内８３８の案内レール８７０を含み、Ｔ案内１３８および／または案内レール１７０と同一かまたは同様である。この構成では、Ｔ案内８３８の案内レール８７０は、内刃８１２および外刃８１４間に捕捉されており、内刃８１２に隣接する上部側と、外刃８１４に隣接する底部側と、を有する。
【００７９】
[00110]カッタ８００の実施形態は、説明された差異を除いて、図１〜３０の実施形態と実質上同一または同様である。図１〜２７の実施形態とは対照的に、カッタ８００は、磁気張力組立体８７４の代替の実施形態を含む。磁気張力組立体８７４は、外刃８１４に結合される電磁石８７６を含む。磁気張力組立体８７４は、説明された差異を除いて、磁気張力組立体７７４および電磁石７７６（図２７〜３０）と実質上同一または同様である。磁気張力組立体７７４とは対照的に、磁気張力組立体８７４は、外刃（図３１〜３２）に結合し、他方、磁気張力組立体７７４は、内刃７１２（図２７〜３０）に結合する。
【００８０】
[00111]幾つかの実施形態では、内刃８１２、外刃８１４、ヨーク８２８、Ｔ案内８３８、および／または、刃案内組立体８８６は、内刃８１２および外刃８１４間に引き付けまたは反発する力を作成するために磁化される。例えば、磁気組立体は、ヨーク８２８、内刃８１２、外刃８１４、Ｔ案内８３８、または、刃案内組立体８８６のうちの少なくとも１つに位置する。換言すると、内刃８１２、外刃８１４、ヨーク８２８、Ｔ案内８３８、刃案内組立体８８６、および／または、それらの任意の組合せは、内刃８１２および外刃８１４間の引張り力（引き付けまたは反発）を調整または制御するために磁界を作成する。例えば、磁化ヨーク８２８は、非導電性磁石担持体（例えば、鉄磁石８７６を担持するプラスチックヨーク８２８）または導電性磁性材料である。幾つかの実施形態では、複合力は、複数の磁石８７６から複合磁気力を作成するために比較的弱い磁気力の複数の磁石８７６から生成される。様々な磁石は、使用でき、磁気組立体の総費用を軽減できる。加えて、刃８１２および８１４間の力を制御するために磁気力を使用することは、ヘアをカットしている間に刃８１２および８１４間の摩擦を維持するために生成される引張り力を制御するために、信頼できる効率的な方法を作成する。
【００８１】
[00112]磁気張力組立体８７４の第１および第２の端部８５５および８７７は、外刃８１４を通って延びて内刃８１２に接触する。動作中、電気（または電荷もしくは電流）は、部材８１１を磁化するために、巻線８３３に適用される。磁界は、内刃８１２と係合するために、第１の端部８５５および第２の端部８７７を通って延びる。端部８５５および８７７は、磁束を集中させて、内刃８１２と係合して外刃８１４に向けて引く引き付ける磁気力（例えば、張力）を提供する。磁気力は、動作中に外刃縁８６８に対する内刃縁８６６の位置を維持する磁気張力を生成するのに十分であり、カットを容易にする。斯くして、端部８５５および８７７は、内刃８１２を外刃８１４に向けて引く磁気導管（または電磁石）として作用する。
【００８２】
[00113]磁気張力組立体８７４から電磁石８７６に供給される電流または電圧（あるいは電気または電荷）は、カッタ８００の動作に関連付けできる。具体的には、負荷または速度センサ８８８は、モータ８２０への負荷または速度における増加および／または減少を検出するために、カッタ８００と合体される。モータ８２０の負荷または速度における変化は、刃８１２および／または８１４間の摩擦負荷に比例する。センサ８８８は、内刃８１２および８１４間の磁気力を増加または減少させるために、モータ８２０への負荷および／または速度変化を示す信号を電磁石８７６に送信する。モータ８２０への負荷の変化は、ヘアのカット中に受ける刃８１２および８１４間の摩擦負荷を示すおよび／または比例する。同様に、モータ８２０、内刃８１２および／または外刃８１４の速度における変化は、刃８１２および８１４間の摩擦負荷を示すおよび／または比例する。検出された負荷が増加するかまたは速度が低下すると、電磁石８７６に供給される電圧および／または電流は、内刃８１２および外刃８１４間の張力を改善するために、増加される。例えば、センサ８８８が、変化したモータ８２０への負荷または速度を検出すると、センサ８８８は、磁気張力組立体８７４の電流を増加させるために、信号を電磁石８７６に送信して、案内部材８８０と内刃８１２および外刃８１４の間の磁気引き付け力または引張り力を増加させ、摩擦負荷とモータ７２０への負荷とを軽減させる。
【００８３】
[00114]幾つかの実施形態では、電磁石８７６は、磁気張力組立体の他の実施形態（例えば、１７４、２７４、３７４、４７４、５７４、６７４、および７７４）に関連して開示されたものなど、他の磁石８７６（例えば、１７６、２７６、３７６、４７６、５７６、６７６、および７７６）と関連して使用される。更に、電磁石８７６（ならびに／あるいは磁石１７６、２７６、３７６、４７６、５７６、６７６、および７７６）は、電磁石８７６の選択的係合（または磁化）を容易にするために、少なくとも１つのセンサ８８８に関連付けできる。例えば、電磁石８７６は、ヘアを検出するように構成された近接センサ８８８、カッタ８００の運動を検出するように構成されたモーションセンサ８８８、および／または、バリカン動作（またはモータ８２０の動作）の音を検出するように構成された音センサ８８８と関連付けされる。センサ８８８による関連付けされた検出に応答して、電磁石８７６は、電磁石８７６と選択的に係合する（例えば、電磁石８７６への電流を増加または減少させるための信号を送信する）。斯くして、内刃８１２および外刃８１４間の磁気力は、選択的に可変である。磁気力の選択的適用は、刃８１２および８１４間の摩擦負荷、モータ８２０の負荷、および、カッタ８００による放出熱を軽減させて、使用中のユーザが経験を改善するのを可能にする。換言すると、センサ８８８は、カッタ８００の性能およびライフサイクルの全体を高めるために、電磁石８７６と通信する。
【００８４】
[00115]理解されるべきことは、図が詳細に例示的な実施形態を例証していることであり、また、理解されるべきことは、本出願が図面に例証または説明に記載された詳細や方法論に限定されないことである。同じく理解されるべきことは、用語が単に説明の目的のためであり、限定と考えるべきではないことである。
【００８５】
[00116]本発明の様々な態様の更なる修正の実施形態や代替の実施形態は、この説明に鑑みて、当業者には明らかになるであろう。したがって、この説明は、単なる例示として解釈されるべきである。様々な例示的な実施形態に示された構造および配置は、単なる例証である。ほんの僅かな実施形態が本開示において詳細に説明されているが、多くの修正例は、本明細書で説明される主題の新規な教示や利点から実質上逸脱せずに、可能である（例えば、様々な要素のサイズ、寸法、構造、形状および比率における変形例、パラメータの値、実装配置、材料、色彩、配向等々の使用）。一体形成されたとして示されている幾つかの要素は、複数の部品または要素で構成でき、要素の位置は、逆にされるか、そうでなければ変えることができ、分離した要素または位置の性質や数は、改変または変更できる。任意のプロセスの序列または順序、論理アルゴリズム、または、方法ステップは、代替の実施形態に従って変更または再順序付けできる。他の代用、修正、変化および省略も、本発明の範囲から逸脱せずに、様々な例示的な実施形態の設計、動作条件および配置において行うことができる。
【００８６】
[00117]本開示の目的のために、用語「結合された」は、２つの構成要素を互いに直接または間接に接合することを意味する。そういった接合は、本質的に静止しているかまたは本質的に可動であることがある。そういった接合は、２つの部材を用いて達成でき、任意の追加の中間部材が互いに単独の単一体として一体形成されるか、あるいは、２つの部材、または、２つの部材および任意の追加の部材が互いに取り付けられることがある。そういった接合は、本質的に恒久的であることがあり、代替的に、本質的に除去可能または解除可能であることがある。
【００８７】
[00118]本出願は、本明細書に添付された特許請求の範囲における特徴の特定の組合せを記載しているが、本発明の様々な実施形態は、本明細書で説明された特徴のいずれかの任意の組合せに、そういった組合せが現在権利請求されているか否かにかかわらずに、関係しており、また、そういった特徴のどの組合せも、本出願や将来の出願において権利請求できる。上で議論された例示的な実施形態のいずれかの任意の特徴、要素、または構成要素は、単独で、あるいは、上で議論された他の実施形態のいずれかの任意の特徴、要素、または構成要素と組み合わせて、使用することができる。
【００８８】
[00119]様々な例示的な実施形態では、図に示されたように、角度、長さ、および半径を含む相対寸法は、スケール通りである。図の実際の測定値は、様々な例示的な実施形態の相対的な寸法、角度、および比率を開示するであろう。様々な例示的な実施形態は、図から決定され得る絶対的および相対的な寸法、角度、および比率のまわりの様々な範囲に及ぶ。様々な例示的な実施形態は、図から決定され得る１つまたは複数の相対寸法や相対角度の任意の組合せを含む。更に、この説明に明白に記載されていない実際の寸法は、この説明に記載されている明白な寸法と組み合わせて、図で測定される寸法の比率を使用することによって、決定できる。
【図１】
2021533871.tif 000003
【図２】
2021533871.tif 000004
【図３】
2021533871.tif 000005
【図４】
2021533871.tif 000006
【図５】
2021533871.tif 000007
【図６】
2021533871.tif 000008
【図７】
2021533871.tif 000009
【図８】
2021533871.tif 000010
【図９】
2021533871.tif 000011
【図１０】
2021533871.tif 000012
【図１１】
2021533871.tif 000013
【図１２】
2021533871.tif 000014
【図１３】
2021533871.tif 000015
【図１４】
2021533871.tif 000016
【図１５】
2021533871.tif 000017
【図１６】
2021533871.tif 000018
【図１７】
2021533871.tif 000019
【図１８】
2021533871.tif 000020
【図１９】
2021533871.tif 000021
【図２０】
2021533871.tif 000022
【図２１】
2021533871.tif 000023
【図２２】
2021533871.tif 000024
【図２３】
2021533871.tif 000025
【図２４】
2021533871.tif 000026
【図２５】
2021533871.tif 000027
【図２６】
2021533871.tif 000028
【図２７】
2021533871.tif 000029
【図２８】
2021533871.tif 000030
【図２９】
2021533871.tif 000031
【図３０】
2021533871.tif 000032
【図３１】
2021533871.tif 000033
【図３２】
2021533871.tif 000034
【国際調査報告】
2021533871.tif 000035
2021533871.tif 000036